(57)【要約】      （修正有）【課題】シンプルな構成でありながら誰でも自らこむら返りを簡単に治すことができる、低コストで利用可能なこむら返りを治す器具を提供する。【解決手段】棒状体１０の先端側に足指裏面に当接する足指当接部２０が設けられ、足指当接部は棒状体の軸方向に対して左右一対に突出して形成され、足指当接部の内側に足の親指と第２指の間に挿入する足指挿入部が形成されている。足指当接部の内側面に足指裏面に沿わせるための一対の曲面部２１ａ、２１ｂが形成され、足指挿入部の両側面に一対の括れ部２３ａ、２３ｂが形成され、一対の曲面部と一対の括れ部が連設されている。【選択図】図１
2018121860.tif 000002
【特許請求の範囲】
【請求項１】
棒状体の先端側に足指裏面に当接する足指当接部が設けられ、前記足指当接部は前記棒状体の軸方向に対して左右一対に突出して形成され、前記足指当接部の内側に足の親指と第２指の間に挿入する足指挿入部が形成されていることを特徴とするこむら返りを治す器具。
【請求項２】
前記足指当接部の内側面に足指裏面に沿わせるための一対の曲面部が形成され、前記足指挿入部の両側面に一対の括れ部が形成され、前記一対の曲面部と前記一対の括れ部が連設されていることを特徴とする請求項１に記載のこむら返りを治す器具。
【請求項３】
棒状体の先端側及び後端側に足指裏面に当接する一対の足指当接部が設けられ、前記一対の足指当接部は前記棒状体の軸方向に対して左右一対に突出して形成され、前記一対の足指当接部の内側に足の親指と第２指の間に挿入する一対の足指挿入部が形成され、前記一対の足指挿入部の上下面に一対の括れ部が形成されていることを特徴とするこむら返りを治す器具。
【発明の詳細な説明】
【技術分野】
【０００１】
本発明は、誰でも自らこむら返りを簡単に治すことができる、低コストで利用可能なこむら返りを治す器具に関するものである。
【背景技術】
【０００２】
「こむら返り」とは、「腓（こむら、ふくらはぎ）」に起こる筋痙攣の総称であり、「足がつる」とも言われる。従来から、こむら返りの対処方法としては、こむら返りの予防を目的とした器具又は治療剤が多数提案されている。
例えば、特開２００９−２１３８４７号公報（特許文献１）には、こむら返りの予防策として足首を固定してくるぶしからつま先への伸びを制限する「こむら返り防止装具」が提案されている。
また、特開２０１２−３１８３８号公報（特許文献２）には、こむら返りの発生に対応でき、しかも、従前例と同様にむくみやだるさを解消し、身に付けた当初の状態を確実に維持できる「ふくらはぎ用サポータ」が提案されている。
さらに、特開２０００−３４２２９号公報（特許文献３）には、筋クランプ（こむら返り）に対して有効な薬物療法を可能にする医薬「筋クランプ治療剤」が提案されている。
【０００３】
一方、こむら返りが起こってから後に又は起こりそうな筋肉の違和感が発生してから使用する器具は一般に見当たらない状況であるが、その中で、実用新案登録第３１５４７４２号公報（特許文献４）には、夜間就寝中等に突然こむら返りが起こった場合、速やかに自分一人で対処できる痙攣矯正器具を提供することを目的とし、足の親指を内側へ曲げる為の親指バーを取付けた足当て部及び踵を支持する為の底板から成るＬ型の足台と、一端が前記足台に固定され、他端部に取っ手部を備え、前記足台を手前に引くための板状ないし棒状の腕木を有する「痙攣矯正器具」が提案されている。
【先行技術文献】
【特許文献】
【０００４】
【特許文献１】特開２００９−２１３８４７号公報
【特許文献２】特開２０１２−３１８３８号公報
【特許文献３】特開２０００−３４２２９号公報
【特許文献４】実用新案登録第３１５４７４２号公報
【発明の概要】
【発明が解決しようとする課題】
【０００５】
しかし、上記実用新案登録第３１５４７４２号公報（特許文献４）に記載された痙攣矯正器具は、こむら返りが起こった際に親指を内側に曲げる為の親指バーを取付けたＬ型の足台に、親指を親指バーに沿わせながら足裏を接面させる必要があることから、特に高齢者の方はこむら返りが起こった状態の強い痛みに耐えながら、親指を親指バーに正確にセットすることは困難であると考えられる。また、親指バーの取付けは、足の大きさのよって位置替えが可能なように構成されているが、親指バーとＬ型の足台との間隔が足幅にぴったり合っていないと親指を的確に内側に曲げることができないため、こむら返りを治す効果を十分に発揮できない可能性がある。
そこで、本発明は、本願発明者が鋭意検討を重ねて、シンプルな構成でありながら誰でも自らこむら返りを簡単に治すことができる、低コストで利用可能なこむら返りを治す器具を提供することを目的とする。
【課題を解決するための手段】
【０００６】
上記の課題を解決するために、請求項１に記載の発明は、棒状体の先端側に足指裏面に当接する足指当接部が設けられ、前記足指当接部は前記棒状体の軸方向に対して左右一対に突出して形成され、前記足指当接部の内側に足の親指と第２指の間に挿入する足指挿入部が形成されていることを特徴とする。
【０００７】
また、請求項２に記載の発明は、請求項１に記載の前記足指当接部の内側面に足指裏面に沿わせるための一対の曲面部が形成され、前記足指挿入部の両側面に一対の括れ部が形成され、前記一対の曲面部と前記一対の括れ部が連設されていることを特徴とする。
【０００８】
また、請求項３に記載の発明は、棒状体の先端側及び後端側に足指裏面に当接する一対の足指当接部が設けられ、前記一対の足指当接部は前記棒状体の軸方向に対して左右一対に突出して形成され、前記一対の足指当接部の内側に足の親指と第２指の間に挿入する一対の足指挿入部が形成され、前記一対の足指挿入部の上下面に一対の括れ部が形成されていることを特徴とする。
【発明の効果】
【０００９】
以上のように、本発明によれば、棒状体の先端側に左右一対に突出形成された足指当接部が設けられ且つ足指当接部の内側に足指挿入部が形成されているので、こむら返りが起こった時に、足の親指と第２指の間に足指挿入部を挿入して、足指（足の親指と第２指）裏面を足指当接部に当接させて棒状体を手前に強く引き付けることにより、親指を的確に内側に曲げることができる。これにより、高齢者の方でも自らふくらはぎの筋肉を伸ばし、こむら返りを簡単に治すことができる。
【００１０】
また、足指当接部の内側面に曲面部が形成され且つ足指挿入部の両側面に括れ部が形成されていることにより、使用する際に足指に痛みを感じさせず足指を挿入する動作と親指を内側に曲げる動作をスムーズに行うことができる。
【００１１】
また、棒状体の先端側及び後端側に左右一対に突出形成された一対の足指当接部が設けられ且つ一対の足指当接部の内側に一対の足指挿入部が形成されているので、こむら返りが起こった時に、いずれか一方の足指挿入部を足の親指と第２指の間に挿入して、足指（足の親指と第２指）裏面を足指当接部に当接させて棒状体を手前に強く引き付けることにより、親指を的確に内側に曲げることができる。これにより、高齢者の方でも自らふくらはぎの筋肉を伸ばし、こむら返りを簡単に治すことができる。
【図面の簡単な説明】
【００１２】
【図１】本発明にかかる器具の一例を示す正面図である。
【図２】図１に示す器具の一部拡大正面図である。
【図３】図１に示す器具の一部拡大斜視図である。
【図４】図１に示す器具の使用状態を表わす斜視図である。
【図５】図１に示す器具の使用状態を表わす側面図である。
【図６】本発明にかかる器具の他例を示す正面図である。
【図７】図６に示す器具の斜視図である。
【発明を実施するための形態】
【００１３】
以下、本発明の実施形態の一例について図を参酌しながら説明する。なお、本発明のこむら返りを治す器具の各構成については、以下の実施例に限定されるものではなく、使用状況によって適宜変更することができる。
【００１４】
図１は本発明にかかる器具の一例を示す正面図、図２は一部拡大正面図、図３は一部拡大斜視図である。
本発明にかかる器具（こむら返りを治す器具の第１実施例）は、図１に示すように、棒状体１０の先端側に足指裏面に当接する足指当接部２０が設けられている。また、足指当接部２０は、棒状体１０の軸方向に対して左右一対に突出して略Ｔ字形状に形成されている。また、足指当接部２０の内側には、足の親指と第２指の間に挿入する足指挿入部２２が形成されている。
【００１５】
ここで、棒状体１０及び足指当接部２０の材質は、特に限定されるものではなく、木製、プラスチック製、金属製などが考えられる。また、棒状体１０及び足指当接部２０は、別部材を結合させて成形する方法、一体に成形する方法などにより製造される。なお、棒状体１０については、伸縮機構（図示省略）を備える構造を採用することにより、持ち運びが容易になる。
【００１６】
図２又は図３に示すように、足指当接部２０の内側面には足指（足の親指と第２指）裏面に沿わせるための一対の曲面部２１ａ、２１ｂが形成され、足指挿入部２２の両側面には、一対の括れ部２３ａ、２３ｂが形成されている。また、図１乃至図３に示すように、一対の曲面部２１ａ、２１ｂと一対の括れ部２３ａ、２３ｂは、繋がるように連接されている。  
【００１７】
次に、上記第１実施例に示すこむら返りを治す器具の使用方法について説明する。こむら返りが起こった時に、図４に示すように、足の親指と第２指の間に足指挿入部２２を挿入して両指で挟持し、足指（足の親指と第２指）裏面を足指当接部２０の一対の曲面部２１ａ、２１ｂに当接させると準備が完了する。そして、棒状体１０を手前に強く引き付けることにより、図５に示すように、親指を的確に内側に曲げることができる。これにより、ふくらはぎの筋肉を伸ばし、誰でも自らこむら返りを簡単に治すことができる。また、足指当接部２０の内側面に一対の曲面部２１ａ、２１ｂが形成され、足指挿入部２２の両側面に一対の括れ部２３ａ、２３ｂが形成されていることにより、使用する際に足指に痛みを感じさせず足指を挿入する動作と親指を内側に曲げる動作をスムーズに行うことができる。
【００１８】
図６は本発明にかかる器具の他例を示す正面図、図７は斜視図である。
本発明にかかる器具（こむら返りを治す器具の第２実施例）は、図６又は図７に示すように、薄板棒状体３０の先端側及び後端側に足指裏面に当接する一対の足指当接部４０、４０が設けられ、一対の足指当接部４０，４０は薄板棒状体３０の軸方向に対して左右一対に突出して略Ｔ字形状に形成されている。一対の足指当接部４０，４０内側面には、足指裏面に当たる当接部４１ａ，４１ｂが形成され、図７に示すように、凸曲面を有する形状になっている。また、一対の足指当接部４０、４０の内側には、足の親指と第２指の間に挿入する一対の足指挿入部４２、４２が形成されている。さらに、一対の足指挿入部４２、４２の上下面には、図７に示すように、一対の括れ部４３ａ、４３ｂが形成されている。なお、足指裏面に当たる当接部４１ａ，４１ｂは、凹曲面（図示省略）を有する形状に形成してもよい。
【００１９】
ここで、薄板棒状体３０及び足指当接部４０の材質は、特に限定されるものではなく、木製、プラスチック製、金属製などが考えられる。また、薄板棒状体３０及び足指当接部４０は、別部材を結合させて成形する方法、一体に成形する方法などにより製造される。なお、薄板棒状体３０については、薄板形態にすることにより軽量化を図り、全体の長さを短く設定することにより、持ち運びが容易になる。
【００２０】
次に、上記第２実施例に示すこむら返りを治す器具の使用方法について説明する。こむら返りが起こった時に、いずれか一方の足指挿入部４２を足の親指と第２指の間に挿入して両指で挟持し、足指（足の親指と第２指）裏面を足指当接部４０の当接部４１ａ，４１ｂに当接させると準備が完了する。そして、他方の足指当接部４０を手でつかんで薄板棒状体３０を手前に強く引き付けることにより、第１実施例と同様に、親指を的確に内側に曲げることができる。これにより、ふくらはぎの筋肉を伸ばし、誰でも自らこむら返りを簡単に治すことができる。
【符号の説明】
【００２１】
１０  棒状体
２０  足指当接部
２１ａ  曲面部
２１ｂ  曲面部
２２  足指挿入部
２３ａ  括れ部
２３ｂ  括れ部
３０  薄板棒状体
４０  足指当接部
４１ａ  当接部  
４１ｂ  当接部
４２  足指挿入部
４３ａ  括れ部
４３ｂ  括れ部
【図１】
2018121860.tif 000003
【図２】
2018121860.tif 000004
【図３】
2018121860.tif 000005
【図４】
2018121860.tif 000006
【図５】
2018121860.tif 000007
【図６】
2018121860.tif 000008
【図７】
2018121860.tif 000009